(57)【要約】【課題】    所定の時間間隔で所定量の水を植物などに供給することができる給水装置を提供する。【解決手段】水を溜める貯水槽２と、該貯水槽２内に水を溜めた状態で底部側の外表面が貯水槽２内の水に浸漬されるように貯水槽２内に収容された排水槽３と、該排水槽３の内部と貯水槽２の外部とを連通する排水通路４とを備えており、該排水槽３は、貯水槽２内の水を排水槽３内に流入させる流入部７と、排水槽３内に流入した水を排水通路４を通じて貯水槽２の外部に排出するサイホン管８とを備えており、該流入部７は、排水槽３の底部側の、貯水槽２内の水に浸漬される部分に形成されており、該サイホン管８は、排水槽３内に設置され、サイホン管８の排出部１０が排水通路４の流入側に接続されており、排水通路４がサイホン管８の下方に配置されている。【選択図】        図１
2005168379.tif 000002
【特許請求の範囲】
【請求項１】
水を溜める貯水槽と、
該貯水槽内に水を溜めた状態で底部側の外表面が貯水槽内の水に浸漬されるように貯水槽内に収容された排水槽と、
該排水槽の内部と前記貯水槽の外部とを連通する排水通路とを備えており、
該排水槽は、前記貯水槽内の水を排水槽内に流入させる流入部と、排水槽内に流入した水を前記排水通路を通じて貯水槽の外部に排出するサイホン管とを備えており、
該流入部は、排水槽の底部側の、貯水槽内の水に浸漬される部分に形成されており、
該サイホン管は、排水槽内に設置され、サイホン管の排出部が排水通路の流入側に接続されており、
前記排水通路がサイホン管の下方に配置されてなる、給水装置。
【請求項２】
前記排水槽が、内部に流入した水の量に応じて貯水槽内の水面に対して上下方向に移動するように構成されており、
前記排水通路が、前記排水槽の移動に応じて変位可能に構成された、請求項１記載の給水装置。
【請求項３】
前記貯水槽は、前記排水槽を貯水槽内の水面に対して上下方向に案内する案内部をさらに備えてなる、請求項２記載の給水装置。
【請求項４】
前記排水通路の排出側に排水通路から排出される水を受ける受水槽と、
一端部が受水槽に接続されるとともに他端部が対象物に水を分配可能に配置される、一又は複数の分配通路とをさらに備える、請求項１乃至３のいずれかに記載の給水装置。
【発明の詳細な説明】
【技術分野】
【０００１】
本発明は、給水装置に関し、特に植物などに所定の時間間隔で所定量の水を供給する給水装置に関する。なお、ここで用いる水には水溶液なども含む。
【背景技術】
【０００２】
従来より、人手を掛けずに植物などに給水をする方法が種々提案されている。
【０００３】
例えば、水を張った容器に鉢を入れ、鉢の底面側から植物に給水する底面給水法、水を入れた容器から鉢に細いチューブや布を渡して毛細管現象により植物に給水する方法、またはタイマー制御により自動的に植物に給水する方法などがある。
【０００４】
底面給水法は、比較的短い時間間隔で給水する場合には適するが、長期間不在の場合には鉢の水切りができないので適さない。また毛細管現象を利用する給水法は、長期不在の場合でも植物に給水することができるが、給水量調整をすることが難しい。またタイマー制御による給水法は、確実に植物へ給水することができるが、装置が複雑となり価格も高い。
【０００５】
またその他の方法として、例えば、気温の上昇とともに容器内の閉じられた空気層が熱膨張して容器内の空気層の下方にある水を押し出すことにより植物に給水をする自動水やり器（給水装置）が提案されている（特許文献１参照。）。この装置は、気温の変化に対応して植物への給水量が多くなったり少なくなったりするので、所定の時間間隔で所定量の水を供給したい場合には用いることができない。
【特許文献１】特開２００１−１６１１９４号公報  （第２頁）
【発明の開示】
【発明が解決しようとする課題】
【０００６】
本発明は、上述した事情を鑑みてなされたものであり、所定の時間間隔で所定量の水を植物などに供給することができる給水装置を提供することを目的とする。
【課題を解決するための手段】
【０００７】
本発明に係る給水装置は、水を溜める貯水槽と、該貯水槽内に水を溜めた状態で底部側の外表面が貯水槽内の水に浸漬されるように貯水槽内に収容された排水槽と、該排水槽の内部と貯水槽の外部とを連通する排水通路とを備えており、該排水槽は、貯水槽内の水を排水槽内に流入させる流入部と、排水槽内に流入した水を排水通路を通じて貯水槽の外部に排出するサイホン管とを備えており、該流入部は、排水槽の底部側の、貯水槽内の水に浸漬される部分に形成されており、該サイホン管は、排水槽内に設置され、サイホン管の排出部が排水通路の流入側に接続されており、排水通路がサイホン管の下方に配置されている。
【０００８】
この構成では、貯水槽内に水を溜めると、排水槽の底部側の外表面が貯水槽内の水に浸漬される。この排水槽の浸漬された部分に流入部が形成されているので、貯水槽内の水はこの流入部に作用する水頭（概略排水槽の浸漬量に対応する水頭）に応じて流入部を通じて排水槽内に流入する。その結果排水槽内の水位が上昇する。この水位がサイホン管の最高点に達すると、排水槽内の水はサイホン作用によりサイホン管および排水通路を通じて貯水槽の外部に排出される。その結果排水槽内の水位が下がる。そしてこの水位がサイホン管の吸入口の高さ位置まで下がったときに、この水位に対応する水頭がサイホン管および排水通路内を流れる水の圧力損失よりも小さくなりサイホン作用が停止する。その結果排水槽内から貯水槽の外部への排水が停止される。以上の動作が繰り返し実施される。その結果、所定量の水を所定の時間間隔で供給することが可能となる。
【０００９】
ここで、上記所定量は、排水槽の断面積とサイホン管の吸入口から最高点までの高さとに基づいて設定される。所定の時間間隔は、この所定量と、流入部を通じて排水槽内に流入する水の流量と、排水槽からサイホン管および排水通路を通じて貯水槽の外部に排出する水の流量とに基づいて設定される。なお、実際には、これらのパラメータは実験により設定される。
【００１０】
前記排水槽が内部に流入した水の量に応じて貯水槽内の水面に対して上下方向に移動するように構成されており、前記排水通路がこの排水槽の移動に応じて変位可能に構成されることが望ましい。
【００１１】
この構成では、貯水槽内に水を溜めると、排水槽の底部側は自重により水に浸漬された状態になる。上述したようにこの排水槽の浸漬された部分に流入部が形成されているので、貯水槽内の水はこの流入部に作用する水頭（概略排水槽が自重によって浸漬された量に対応する水頭）に応じて流入部を通じて排水槽内に流入する。その結果排水槽内の水位が上昇し、その分排水槽が水中に沈む。すなわち、貯水槽内の水面の高さ位置はほぼ変わることなく、排水槽が貯水槽内の水面に対して下降する。このとき、排水槽内の水面の高さ位置は、排水槽の流入部の抵抗に相当する分だけ貯水槽内の水面の高さ位置より低くなる。そしてこの水位がサイホン管の最高点に達したときに、サイホン作用により排水槽内の水がサイホン管および排水通路を通じて貯水槽の外部へ排出される。これにより排水槽内の水位が下がり、排出された水の容積に対応する浮力が排水槽に作用する。その結果排水槽は貯水槽内の水面に対して上昇する。そして排水槽内の水位がサイホン管の吸入口の高さ位置まで下がったときに、この水位に対応する水頭がサイホン管および排水通路内を流れる水の圧力損失よりも小さくなりサイホン作用が停止する。その結果排水槽内から貯水槽の外部への排水が停止される。以上の動作が繰り返し実施される。その結果、所定量の水を所定の時間間隔で供給することが可能となる。またこの構成では、排水通路が排水槽の上下方向の移動に応じて変位可能であるので、排水槽の上下方向の移動を円滑にすることができる。
【００１２】
前記貯水槽は、排水槽を貯水槽内の水面に対して上下方向に案内する案内部をさらに備えることが望ましい。これにより、排水槽の姿勢が不安定（例えば、鉛直方向に対して傾く、あるいは揺れる）になることを防止することができ、貯水槽から排水槽内へ流入する水の量および所定量の水を排水槽に溜める時間のばらつきを抑制することができる。
【００１３】
前記排水通路の排出側に排水通路から排出される水を受ける受水槽と、一端部が受水槽に接続されるとともに他端部が対象物に水を分配可能に配置される、一又は複数の分配通路とをさらに備えることが望ましい。これにより、複数の対象物に所定量の水を所定の時間間隔で供給することが可能となる。
【発明の効果】
【００１４】
本発明によれば、所定の時間間隔で所定量の水を植物などに供給することができる。
【発明を実施するための最良の形態】
【００１５】
以下、本発明の実施の形態を図面に基づいて説明する。
【００１６】
図１は本発明の実施の形態に係る給水装置の構成を示す図であり、（ａ）は平面図、（ｂ）は（ａ）のＡ−Ａ矢視縦断面図である。図２は本発明の実施の形態に係る給水装置の動作を説明するための縦断面図であり、（ａ）は貯水槽内に水を溜めた状態を示し、（ｂ）は排水槽内に水が流入している状態を示し、（ｃ）は排水槽の水が排水槽からサイホン管を通じて貯水槽の外部に排出されている状態を示し、（ｄ）は排水槽内の水の排出が停止された状態を示している。
【００１７】
本実施の形態に係る給水装置は、例えば植物などに所定の時間間隔で所定量の水を供給するために用いられる。
【００１８】
図１に示すように、この給水装置１は、水Ｗを溜める貯水槽２と、この貯水槽２内に収容される排水槽３と、この排水槽３の内部と貯水槽２の外部とを連通する排水通路４とを備える。
【００１９】
貯水槽２は一端が開放された有底四角筒状に形成され、開放端が鉛直上方に向くように配置されている。貯水槽２の底部２ａの外面側には、貯水槽２を略鉛直方向に支持するための脚５が設けられている。これにより貯水槽２を自立させることができる。この脚５は、詳細は図示されていないが、管材またはアングル材などから形成され、長手方向が略鉛直方向になるように貯水槽２の底部２ａ外面の四隅に別個独立に取り付けられている。そしてこの脚５の高さは、貯水槽２および被給水体６（例えば鉢）を同じ高さ位置に設置したときに被給水体６への水Ｗの供給を容易にするため、被供給体６の高さより高く設定されている。なおこの脚５の高さは、貯水槽２および被給水体６を設置する高さ位置に応じて適宜設定される。
【００２０】
上記のとおり、ここでは、貯水槽２が四角筒状に形成されているが、これに限定するものではない。例えば貯水槽２を円筒状に形成しても構わない。これにより接合箇所を減らすことができるので、製作工数の削減を図ることができる。またここでは、貯水槽２の底部２ａに脚５を取り付けているが、これに代えて貯水槽の上部に吊り具を取り付けて貯水槽２を吊すような状態で使用しても構わない。これにより、被給水体６が貯水槽２より高い位置に設置される場合でも簡単に給水することができる。
【００２１】
前記排水槽３は有底筒状をなしており、鉛直方向に対して大きく傾かないように貯水槽２との隙間を適宜設定して、貯水槽２内に収容されている。すなわち排水槽３は貯水槽２内に固定されていない。従って排水槽３は、貯水槽２内の水位に応じて上下方向に昇降可能である。排水槽３は、貯水槽２同様、開放端が鉛直上方に向くように配置されている。
【００２２】
この排水槽３の底部３ａには、貯水槽２内に水Ｗを溜めた状態で貯水槽２内の水Ｗを排水槽３内に流入させる流入部７が設けられている。この流入部７は、例えば断面円形状の一または複数の貫通孔からなる。この流入部７の大きさは、排水槽３内に所定量の水が溜まる時間に基づいて適宜設定される。なお、ここでは流入部７を排水槽３の底部３ａに設けているが、排水槽３が自重によって貯水槽２内の水に浸漬される部分であればどこに設けても構わない。例えば前記流入部７を排水槽３の側壁３ｂに設けてもよい。
【００２３】
またこの排水槽３の内部には、排水槽３内に前記流入部７を通じて流入した水Ｗを貯水槽２の外部に排出するサイホン管８を備える。このサイホン管８は逆Ｕ字状に形成されており、鉛直上方から視て、吸入部９が排水槽３の中央部付近に配置され、排出部１０が径方向外方に延びるように配置されている。これらの吸入部９および排出部１０はその軸線方向が略鉛直方向になるように配置されている。この吸入部９の先端の吸入口９ａは、排水槽３の底部３ａの内面に向かうように配置され、底部３ａの内面から所定の高さ位置に配置されている。この吸入口９ａの高さ位置は、排水槽３内の水が吸入口９ａに吸い込まれるときの抵抗が比較的小さくなるように設定されている。またサイホン管８の排出部１０は、排水槽３の底部３ａを貫通し、排出口１０ａが排水槽３の底部３ａの外面から突出するように、排水槽３の底部３ａに取り付けられている。この排出部１０の底部３ａ外面からの突出量は、後述の第１排水路１２の流入側が取り付けられるように設定される。さらにこの排出部１０の排水槽３内の部分は、ホースバンドなどの取付具１１によって排水槽３の側壁３ｂの内側に固定されている。これにより、サイホン管８が排水槽３内に確実に固定される。なお、ここでは、サイホン管８を片持ち状態で排水槽３の側壁３ｂの内側に取り付けているが、これに限定するものではない。例えば、排水槽３の底部３ａに、底部３ａを貫通する連結管を取り付けるとともに、排水槽３内の連結管の入口にサイホン管８の排出部１０を着脱自在に取り付けられるようにしても構わない。もちろん連結管の出口には、上記と同じように後述の第１排水路１２の流入側が取り付けられる。これにより、排水槽３内のサイホン管８を容易に取り替えることができ、給水量および給水の時間間隔を調整することが可能となる。
【００２４】
前記排水通路４は、前記サイホン管８のサイホン作用を妨げないようにサイホン管８の下方に配置されており、第１排水路１２、連通管１３および第２排水路１４とから構成される。
【００２５】
前記第１排水路１２は、可撓性を有する材料（例えばゴム管）から形成されている。第１排水路１２は、上述したように流入側が前記サイホン管８の排出部１０に接続され、流出側が後述の連通管１３の流入部１３ａに接続されている。そして第１排水路１２は、排水槽３の底部３ａと貯水槽２の底部２ａとの間で適当に撓むようになっている。従って、上述のように排水槽２が貯水槽２内の水位に応じて上下方向に移動しても、また後述のように排水槽３が貯水槽２の水面に対して上下方向に移動しても、第１排水路１２が適当に撓むので排水槽３の上下方向への移動を妨げることも、また第１排水路１２はサイホン管８の設置位置を超えることもない。これにより、排水槽３を円滑に昇降させることができる。
【００２６】
前記連通管１３は貯水槽２の内側と外側とを連通する。この連通管１３は、貯水槽２の側壁２ｂの下部に側壁２ｂを板厚方向に貫通して貯水槽２の内側および外側にそれぞれ突出するように取り付けられている。連通管１３は、サイホン作用を妨げないようにサイホン管８が設置される高さ位置より低くなるように設定されている。なお、ここでは、連通管１３を貯水槽２の側壁２ｂの下部に設けているが、これに限定するものではなく、例えば貯水槽２の底部２ａに内側から外側に向かって底部２ａを貫通するように設けても構わない。これにより、貯水槽２の底部２ａ下方に形成される空間を有効に利用することができる。その結果貯水槽の設置面積も小さくなる。
【００２７】
前記第２排水路１４は、被給水体６へ水Ｗを導くためのものであり、例えばビニールホースから形成されている。この第２排水路１４の流入側は、貯水槽２の外側の連通管１３の流出部１３ｂに接続されている。第２排水路１４の排水側は被給水体６の近傍に設置される。
【００２８】
以上のように構成される給水装置１の動作について図２を用いて説明する。図２（ａ）に示すように、貯水槽２内に水Ｗを溜めると、排水槽３は自重により底部３ａ側が水中に浸漬された状態になる。すると図２（ｂ）に示すように、排水槽３の流入部７に排水槽３の浸漬量に対応する水頭が作用して、流入部７から排水槽３内へ貯水槽２内の水Ｗが流入する。その結果排水槽３内の水位が上昇し、この分排水槽３が水中に沈む。すなわち、貯水槽２の水面の高さ位置はほぼ変わることなく、排水槽３が貯水槽２の水面に対して下降する。このとき、排水槽３内の水面の高さ位置は、排水槽３の流入部７の抵抗に相当する分だけ貯水槽２内の水面の高さ位置より低くなる。そして図２（ｃ）に示すように、この水位がサイホン管８の最高点ＭＰに達したときに、サイホン作用によりサイホン管８を通じて排水槽３内の水Ｗが排水通路４を通じて貯水槽２の外部へ排出される。これにより排水槽３内の水位が下がり、排出された水Ｗの容積に対応する浮力が排水槽３の底部３ａ外面側に作用する。その結果排水槽３は貯水槽２の水面に対して上昇する。そして排水槽３内の水位がサイホン管８の吸入口９ａの高さ位置まで下がったとき、この水位に対応する水頭がサイホン管８および排水通路４内を流れる水Ｗの圧力損失よりも小さくなりサイホン作用が停止する。その結果図２（ｄ）に示すように、排水槽３内から貯水槽２の外部への排水が停止される。貯水槽２内の水Ｗが貯水槽２の外部に排出されることにより、貯水槽２内の水面は貯水槽２の外部に排出された水量に相当する分低下する。これに伴い排水槽３も下降する。以上の動作が繰り返し実施される。その結果、長期間、所定量の水を所定の時間間隔で供給することが可能となる。
【００２９】
さらに本実施形態に係る給水装置１の給水量、給水する時間間隔、および給水回数について図１を用いて説明する。
（１）１回当たりの給水量
上述したように、排水槽３内の、サイホン管８の吸入口９ａから最高点ＭＰまでの水位差Ｈ１（流入部１２の高さと同じ）に相当する水量が排水槽３内から貯水槽２の外部へ排水されるので、この水量が給水量Ｖとなる。従って、この給水量Ｖは以下の数式（１）から概略算出することができる。
【００３０】
Ｖ＝π／４・Ｄ１2・Ｈ１                            ・・・（１）
ここで、Ｄ１は排水槽３の内径である。
（２）給水する時間間隔
まず排水槽３内に水Ｗを溜める時間Ｔ１を求める。この時間Ｔ１は、排水槽３の流入部７内を流れる流量Ｑ１とすると、以下の数式（２）から概略算出することができる。
【００３１】
Ｔ１＝Ｖ／Ｑ１                                     ・・・（２）
この場合の流量Ｑ１は以下の数式（３）、（４）から概略算出することができる。
【００３２】
ΔＰ１＝ｆ１・γ・（ｖ１2／２ｇ）・（Ｈ２／ｄ）    ・・・（３）
Ｑ１＝（π／４）・ｄ2・ｖ１                        ・・・（４）
ここで、ΔＰ１は流入部７の入口と出口とのヘッド差、例えば排水槽３内が空の状態では排水槽３が貯水槽２の水面から沈んだ量、ｆ１は摩擦係数、ｖ１は流入部７内の水Ｗの流速、γは水Ｗの密度、ｇは重力加速度、Ｈ２は流入部７の流路長さ、ｄは流入部７の内径である。
【００３３】
次に排水槽３内の水Ｗが貯水槽２の外部へ排出する時間Ｔ２を求める。この時間Ｔ２は、排水槽３から貯水槽２の外部へ排出する流量をＱ２とすると、以下の数式（５）から概略算出することができる。
【００３４】
Ｔ２＝Ｖ／Ｑ２                                     ・・・（５）
この場合の流量Ｑ２は以下の数式（６）、（７）から概略算出することができる。
【００３５】
ΔＰ２＝ｆ２・γ・（ｖ２2／２ｇ）・（Ｈ３／ｄ）    ・・・（６）
Ｑ２＝（π／４）・Ｄ２2・ｖ２                      ・・・（７）
ここで、ΔＰ２はサイホン管８の吸入口９ａからの水位（ヘッド差）、ｆ２は摩擦係数、ｖ２はサイホン管８および排水通路４内の水Ｗの流速、γは水Ｗの密度、ｇは重力加速度、Ｈ３は排水通路４の流路長さ、Ｄ２はサイホン管１１および排水通路４の内径である。ここではサイホン管８および排水通路４の各内径を同じに設定しているが、異なるように設定しても良い。但し、その場合には、サイホン管８および排水通路４に対する数式（６）、（７）に相当する式をそれぞれ構築し、サイホン管８および排水通路４内を流れる水量が同じであるという条件を加えることにより、簡単に水量Ｑ２を求めることができる。
【００３６】
以上より、給水する時間間隔Ｔは以下のようになる。
【００３７】
Ｔ＝Ｔ１＋Ｔ２                                      ・・・（８）
これらの時間Ｔ、Ｔ１、Ｔ２は、被給水体６への給水条件に合わせて適宜設定される。
（３）給水回数
貯水槽２に溜める水量をＶｗとすると、給水回数Ｎは以下のようになる。
【００３８】
Ｎ＝Ｖｗ／Ｖ                                        ・・・（９）
但し、実際には、貯水槽２の水中にある第１排水路１２などの容積に相当する分は給水に利用することができないので、上記Ｖｗとしてはこの容積に相当する分を差し引いたものを用いる。
【００３９】
次に本実施形態に係る給水装置の変形例について説明する。本実施形態では、図１に示したように被給水体６に直接水Ｗを供給しているが、これに代えて図示していないが第２排水路１４の排水側に水Ｗを一旦受ける受水槽を設けることができる。この受水槽は、複数の被給水体に水を供給するための分配通路を備える。より具体的には、受水槽は例えば樋状に形成される。分配通路は、例えばビニールホースなどから形成され、受水槽の下部または側壁部に外側に突出するように取り付けられている。この分配通路は、被給水体の個数、配置に合わせて受水槽の長手方向に所定間隔で配置されている。またこの分配通路は被給水体までの距離に応じた長さを有する。これにより、複数の被給水体に所定量の水Ｗを所定の時間間隔で供給することが可能となる。
【００４０】
また本実施形態に係る給水装置の別の変形例では、図示していないが、貯水槽２の底部２ａ内面側に、排水槽３を貯水槽２の水面に対して上下方向に案内する一又は複数の案内棒が立設されてもよい。この案内棒は、例えば管材、角材、アングル材などから形成される。この案内棒は、排水槽３の側壁３ｂの外面との間に適切な隙間を保つように配置され、排水槽３を貯水槽２の水面に対して上下方向に円滑に案内することができるようになっている。またこの方法に変えて、排水槽３の側壁３ｂの外面に、前記案内棒に沿って案内される被案内部を一または複数個設けても良い。このような被案内部として、例えばリング状に形成された鋼材を用いることができる。その場合には被案内部の孔に案内部を挿通することにより、被案内部が案内部に沿って案内される。その結果排水槽３は貯水槽２の水面に対して上下方向に案内される。以上のように排水槽３が案内棒によって案内されるので、排水槽３の姿勢が不安定（例えば、鉛直方向に対して傾く、あるいは揺れる）になることを抑制することができる。その結果、貯水槽２から排水槽３内へ流入する水Ｗの量および排水槽３内に所定量の水Ｗを溜める時間のばらつきを抑制することができる。これにより排水槽３の昇降を円滑にすることができる。
【００４１】
また本実施形態に係る給水装置の別の変形例では、本実施形態の、排水槽３が貯水槽２の水面に対して昇降することに代えて、排水槽３を貯水槽２内の所定位置に固定することができる。その場合には、貯水槽２内の水位を略一定に保つように貯水槽２内に水Ｗを供給することが望ましい。これにより前記案内棒が不要となるとともに、第１排水路１２を固定配管で構成することも可能になる。
【実施例】
【００４２】
以下、実施例に基づいて本発明を詳述する。
〔実施例〕
図１に示した給水装置１の主要寸法は以下の通りである。
【００４３】
排水槽３の流入部７の内径ｄ                          ：  約０．７５ｍｍ
排水槽３の流入部７の流路長さＨ２                    ：  約１０ｍｍ
サイホン管８の吸入口９ａから最高点ＭＰまでの高さＨ１：  約４０ｍｍ
サイホン管８の内径Ｄ２                              ：  約５ｍｍ
排水槽３の内径Ｄ１                                  ：  約１２０ｍｍ
貯水槽２の容積                                      ：  約１５リッタ
給水に用いることが可能な水量                        ：  約１２リッタ
本実施例では、貯水槽２および排水槽３はポリプロピレンから形成されている。サイホン管８はアルミ管から形成され、第１排水路１２はゴム管から形成されている。
【００４４】
この場合、排水槽３内に約９００ｃｃの水Ｗが約２９時間掛けて溜まり、この水Ｗが約２分で排出されることが実験によって確認された。またこの場合、給水に用いることが可能な水量が約１２リッタであるので、約１３回給水可能である。従って、約１５日間人手を掛けずに植物などに水を供給することができる。
【００４５】
以上により、この給水装置を用いれば、長期間、所定の時間間隔で所定量の水を供給することができることがわかる。
【００４６】
なお、上述した実施形態は一例であり、本発明の要旨を損なわない範囲での種々の変更は可能であり、本発明は上述した実施形態に限定されるものではない。
【産業上の利用可能性】
【００４７】
本発明に係る給水装置は、所定の時間間隔で所定量の水を供給することが必要な用途に適用することができる。
【図面の簡単な説明】
【００４８】
【図１】本発明の実施の形態に係る給水装置の構成を示す図であり、（ａ）は平面図、（ｂ）は（ａ）のＡ−Ａ矢視縦断面図である。
【図２】本発明の実施の形態に係る給水装置の動作を説明するための縦断面図であり、（ａ）は貯水槽内に水を溜めた状態を示し、（ｂ）は排水槽内に水が流入している状態を示し、（ｃ）は排水槽の水が排水槽からサイホン管を通じて貯水槽の外部に排出されている状態を示し、（ｄ）は排水槽の水の排出が停止された状態を示している。
【符号の説明】
【００４９】
１…給水装置
２…貯水槽
３…排水槽
４…排水通路
７…流入部
８…サイホン管
９…吸入部
１０…排出部
【図１】
2005168379.tif 000003
【図２】
2005168379.tif 000004